(57)【要約】【課題】２つ以上の操作部のうち１つの操作部の操作と他の操作部の操作とを実施した場合に、使用者の利便性が確保できる加熱調理器を得ることを目的とする。【解決手段】加熱調理器は、被加熱物を加熱する１つ以上の加熱部と、１つ以上の加熱部を操作する２つ以上の操作部と、２つ以上の操作部のうち１つの操作部の操作と他の操作部の操作との操作タイミングに応じて、異なる制御を実施する制御部と、を備える。【選択図】図５
2020060334.tif 000002
【特許請求の範囲】
【請求項１】
被加熱物を加熱する１つ以上の加熱部と、
前記１つ以上の加熱部を操作する２つ以上の操作部と、
前記２つ以上の操作部のうち１つの操作部の操作と他の操作部の操作との操作タイミングに応じて、異なる制御を実施する制御部と、
を備える加熱調理器。
【請求項２】
前記制御部は、前記１つの操作部の操作と前記他の操作部の操作との前記操作タイミングが一致する場合と、前記操作タイミングが異なる場合と、によって、異なる制御を実施する請求項１に記載の加熱調理器。
【請求項３】
前記制御部は、前記１つの操作部の操作の前記操作タイミングが前記他の操作部の操作の前記操作タイミングよりも早い場合に、前記１つの操作部の操作の後に前記他の操作部の操作を受け付けない時間を有する請求項１又は請求項２に記載の加熱調理器。
【請求項４】
前記制御部は、前記１つの操作部の前記１つ以上の加熱部のうちの１つの加熱部に対しての操作の前記操作タイミングが前記他の操作部の当該同一の１つの加熱部に対しての操作の前記操作タイミングよりも早い場合に、前記１つの操作部の前記１つの加熱部に対する操作の後に前記他の操作部の当該同一の１つの加熱部に対する操作を受け付けない時間を有する請求項１又は請求項２に記載の加熱調理器。
【請求項５】
前記制御部は、前記１つの操作部の前記１つ以上の加熱部のうちの１つの加熱部に対しての操作の前記操作タイミングが前記他の操作部の当該同一の１つの加熱部に対しての操作の前記操作タイミングよりも早い場合に、前記１つの操作部の前記１つの加熱部に対する操作の後に前記他の操作部の当該同一の１つの加熱部に対する火力を停止する操作だけを受け付けるとともにその他の操作を受け付けない時間を有する請求項１又は請求項２に記載の加熱調理器。
【請求項６】
前記２つ以上の操作部のうちの各操作部の操作可否状態を表示する表示部を備え、
前記制御部は、前記操作を受け付けない時間である場合に、前記表示部に前記各操作部の操作可否状態を表示する請求項３〜請求項５のいずれか１項に記載の加熱調理器。
【請求項７】
前記制御部が前記操作を受け付けない時間が経過していない場合に、操作を受け付けない指令を解除する解除手段を備える請求項３〜請求項６のいずれか１項に記載の加熱調理器。
【請求項８】
前記制御部が前記操作を受け付けない時間を実施する際に、通常とは異なる通知を実施する通知部を備える請求項３〜請求項７のいずれか１項に記載の加熱調理器。
【請求項９】
前記制御部は、前記１つの操作部の操作の前記操作タイミングと前記他の操作部の操作の前記操作タイミングとが同時である場合に、前記操作タイミングが同時であった全ての操作を無効とする請求項１〜請求項８のいずれか１項に記載の加熱調理器。
【請求項１０】
前記制御部は、前記１つの操作部の操作の前記操作タイミングと前記他の操作部の操作の前記操作タイミングとが同時である場合に、前記操作タイミングが同時であった複数の操作のうち、前記１つ以上の加熱部のうち同一の加熱部に対する操作を無効とするとともに、前記１つ以上の加熱部のうち異なる加熱部に対する操作を有効とする請求項１〜請求項８のいずれか１項に記載の加熱調理器。
【請求項１１】
前記制御部には、前記２つ以上の操作部に予め特定の条件による優先度が記憶され、
前記制御部は、前記１つの操作部の操作の前記操作タイミングと前記他の操作部の操作の前記操作タイミングとが同時である場合に、前記優先度に従って前記優先度の高い操作部の操作を有効とするとともに、それ以外の操作部の操作を無効とする請求項１〜請求項８のいずれか１項に記載の加熱調理器。
【請求項１２】
前記優先度を切り替える優先度切替部を備える請求項１１に記載の加熱調理器。
【請求項１３】
前記２つ以上の操作部のうち前記優先度が最も高い操作部が分かる最高優先度表示部を備える請求項１１又は請求項１２に記載の加熱調理器。
【発明の詳細な説明】
【技術分野】
【０００１】
本発明は、１つ以上の加熱部を操作する２つ以上の操作部を備える加熱調理器に関する。
【背景技術】
【０００２】
１つ以上の加熱部と、当該加熱部を操作する対面式の１対の操作部と、を備える加熱調理器が知られている（たとえば、特許文献１参照）。
【先行技術文献】
【特許文献】
【０００３】
【特許文献１】特開２００５−３２７３号公報
【発明の概要】
【発明が解決しようとする課題】
【０００４】
特許文献１に記載の加熱調理器では、使用者が１つの加熱部に対して複数の操作部から操作できる。また、この加熱調理器は、１つの操作部が操作実施中に他方の操作部からの操作をロックする機能を有する操作部を備え、ロック機能によって使用者の安全性が確保されている。
【０００５】
しかし、ロック機能を有する操作部を備える場合には、ロック機能によってロックされた操作部がロック期間中に操作できず、使用者の利便性が損なわれている。また、２つの操作部の操作タイミングが一致したときの使用者の混乱が防止されてなく、使用者の利便性が損なわれている。
【０００６】
本発明は、上記課題を解決するためのものであり、２つ以上の操作部のうち１つの操作部の操作と他の操作部の操作とを実施した場合に、使用者の利便性が確保できる加熱調理器を得ることを目的とする。
【課題を解決するための手段】
【０００７】
本発明に係る加熱調理器は、被加熱物を加熱する１つ以上の加熱部と、前記１つ以上の加熱部を操作する２つ以上の操作部と、前記２つ以上の操作部のうち１つの操作部の操作と他の操作部の操作との操作タイミングに応じて、異なる制御を実施する制御部と、を備えるものである。
【発明の効果】
【０００８】
本発明に係る加熱調理器によれば、２つ以上の操作部のうち１つの操作部の操作と他の操作部の操作との操作タイミングに応じて、異なる制御を実施する。このため、操作タイミングに応じて異なる制御が実施され、使用者が１つの加熱部に対して複数の操作部から操作できるとともに、操作タイミングが一致した場合の使用者の混乱が防止され、使用者の利便性が確保できる。したがって、２つ以上の操作部のうち１つの操作部の操作と他の操作部の操作とを実施した場合に、使用者の利便性が確保できる。
【図面の簡単な説明】
【０００９】
【図１】本発明の実施の形態１に係る加熱調理器を示す外観斜視図である。
【図２】本発明の実施の形態１に係る加熱調理器を示す機能ブロック図である。
【図３】本発明の実施の形態１に係る制御部を示すブロック図である。
【図４】本発明の実施の形態１に係る加熱調理器を示す上面図である。
【図５】本発明の実施の形態１に係る操作タイミングに応じた制御を示すフローチャートである。
【図６】本発明の実施の形態２に係る加熱調理器を示す機能ブロック図である。
【図７】本発明の実施の形態２に係る加熱調理器の操作部を示す拡大図である。
【図８】本発明の実施の形態２に係る操作タイミングに応じた制御を示すフローチャートである。
【図９】本発明の実施の形態３に係る操作タイミングに応じた制御を示すフローチャートである。
【図１０】本発明の実施の形態４に係る操作タイミングに応じた制御を示すフローチャートである。
【図１１】本発明の実施の形態５に係る加熱調理器を示す外観斜視図である。
【図１２】本発明の実施の形態５に係る加熱調理器を示す機能ブロック図である。
【図１３】本発明の実施の形態５に係る加熱調理器を示す上面図である。
【図１４】本発明の実施の形態５に係る加熱調理器の操作部を示す拡大図である。
【図１５】本発明の実施の形態５に係る操作タイミングに応じた制御を示すフローチャートである。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１１】
実施の形態１．
＜加熱調理器１００の構成＞
図１は、本発明の実施の形態１に係る加熱調理器１００を示す外観斜視図である。ここで説明する加熱調理器１００は、加熱部が３つ（３口ともいう）の加熱調理器を一例として挙げている。
【００１２】
図１に示すように、加熱調理器１００は、鍋などの被加熱物を加熱する加熱部１、加熱部２及び加熱部３を備える。加熱調理器１００には、誘導式加熱部である加熱部１及び加熱部２が左右に２つ形成されている。加熱調理器１００には、ラジエントヒータ式加熱部である加熱部３が中央に形成されている。
【００１３】
加熱部１、加熱部２及び加熱部３は、結晶化ガラス板で形成された平板状の天板４で覆われている。天板４の下方空間には、加熱部１、加熱部２及び加熱部３を構成する円環状の誘導加熱コイル又はラジエントヒータが設置されている。加熱部１及び加熱部２は、円環状などの誘導加熱コイルを有する。加熱部３は、ラジエントヒータを有する。天板４には、加熱部１、加熱部２及び加熱部３によって加熱させる鍋などの被加熱物を置ける。
【００１４】
加熱調理器１００は、外郭を構成する箱状の本体ケース５を備える。本体ケース５の天面は、天板４で覆われている。天板４は、天板４の周囲を額縁状に突出した金属製フレームによって覆われている。天板４は、金属製フレームによって本体ケース５に固定されている。
【００１５】
加熱調理器１００は、天板４の手前側と奥側とに２つの操作部６及び操作部７を備える。なお、加熱調理器１００は、操作部を２つ以上備えるものとする。操作部６及び操作部７は、加熱調理器１００の左右方向にわたって長方形にそれぞれ形成されている。２つの操作部６及び操作部７は、天板４を挟んで対向している。２つの操作部６及び操作部７のそれぞれは、加熱部１、加熱部２及び加熱部３を操作できる。なお、２つの操作部６及び操作部７は、加熱部１、加熱部２及び加熱部３のうち、１つ以上を操作できれば良い。
【００１６】
図２は、本発明の実施の形態１に係る加熱調理器１００を示す機能ブロック図である。図２に示すように、加熱調理器１００は、使用者が操作部６又は操作部７を操作した操作情報に基づいて、加熱部１、加熱部２又は加熱部３を制御する制御部８を備える。制御部８には、使用者が操作部６又は操作部７を操作した操作情報が入力される。制御部８は、入力された操作情報に応じて、加熱部１、加熱部２又は加熱部３の給電又は火力などを制御する。
【００１７】
＜制御部８＞
図３は、本発明の実施の形態１に係る制御部８を示すブロック図である。図３に示す制御部８は、加熱部１、加熱部２及び加熱部３の制御を担う。制御部８は、ＣＰＵ、ＲＯＭ及びＲＡＭなどのメモリ並びにＩ／Ｏポートなどの入出力装置を備えたマイコンを有した処理回路である。
【００１８】
＜操作部６及び操作部７の詳細＞
図４は、本発明の実施の形態１に係る加熱調理器１００を示す上面図である。図４に示すように、操作部６及び操作部７は、天板４を挟んで対向している。
【００１９】
操作部６は、主電源スイッチ９ａと、火力調整用スイッチ１０ａと、火力調整用スイッチ１１ａと、火力調整用スイッチ１２ａと、を備える。主電源スイッチ９ａと、火力調整用スイッチ１０ａと、火力調整用スイッチ１１ａと、火力調整用スイッチ１２ａとは、押下されると入力指令が制御部８に伝達される機械式スイッチである。なお、操作部６は、これらのスイッチが静電容量式スイッチによって構成されても良い。
【００２０】
操作部７は、主電源スイッチ９ｂと、火力調整用スイッチ１０ｂと、火力調整用スイッチ１１ｂと、火力調整用スイッチ１２ｂと、を備える。主電源スイッチ９ｂと、火力調整用スイッチ１０ｂと、火力調整用スイッチ１１ｂと、火力調整用スイッチ１２ｂとは、押下されると入力指令が制御部８に伝達される機械式スイッチである。なお、操作部７は、これらのスイッチが静電容量式スイッチによって構成されても良い。
【００２１】
主電源スイッチ９ａ及び主電源スイッチ９ｂは、加熱調理器１００の給電と電力切断とを切り替える。使用者が主電源スイッチ９ａ又は主電源スイッチ９ｂを給電側に押下することにより、加熱調理器１００に電力が投入される。使用者が主電源スイッチ９ａ又は主電源スイッチ９ｂを電力切断側に押下することにより、加熱調理器１００への電力が切断される。
【００２２】
火力調整用スイッチ１０ａ及び火力調整用スイッチ１０ｂは、操作部６に正対して加熱調理器１００の左側に設けられ、かつ操作部７に正対して加熱調理器１００の右側に設けられた加熱部１の火力を調節する。火力調整用スイッチ１０ａ及び火力調整用スイッチ１０ｂは、それぞれ、操作部６及び操作部７に正対して、右側に火力を高めるスイッチと、左側に火力を弱めるスイッチと、を有する。使用者が火力調整用スイッチ１０ａ又は火力調整用スイッチ１０ｂの右側の火力を高めるスイッチを押下することにより、調理状況に合わせて加熱部１の火力が高められる。使用者が火力調整用スイッチ１０ａ又は火力調整用スイッチ１０ｂの左側の火力を弱めるスイッチを押下することにより、調理状況に合わせて加熱部１の火力が弱められる。
【００２３】
火力調整用スイッチ１１ａ及び火力調整用スイッチ１１ｂは、操作部６に正対して加熱調理器１００の右側に設けられ、かつ操作部７に正対して加熱調理器１００の左側に設けられた加熱部２の火力を調節する。火力調整用スイッチ１１ａ及び火力調整用スイッチ１１ｂは、それぞれ、操作部６及び操作部７に正対して、右側に火力を高めるスイッチと、左側に火力を弱めるスイッチと、を有する。使用者が火力調整用スイッチ１１ａ又は火力調整用スイッチ１１ｂの右側の火力を高めるスイッチを押下することにより、調理状況に合わせて加熱部２の火力が高められる。使用者が火力調整用スイッチ１１ａ又は火力調整用スイッチ１１ｂの左側の火力を弱めるスイッチを押下することにより、調理状況に合わせて加熱部２の火力が弱められる。
【００２４】
火力調整用スイッチ１２ａ及び火力調整用スイッチ１２ｂは、操作部６に正対して加熱調理器１００の中央側に設けられ、かつ操作部７に正対して加熱調理器１００の中央側に設けられた加熱部３の火力を調節する。火力調整用スイッチ１２ａ及び火力調整用スイッチ１２ｂは、それぞれ、操作部６及び操作部７に正対して、右側に火力を高めるスイッチと、左側に火力を弱めるスイッチと、を有する。使用者が火力調整用スイッチ１２ａ又は火力調整用スイッチ１２ｂの右側の火力を高めるスイッチを押下することにより、調理状況に合わせて加熱部３の火力が高められる。使用者が火力調整用スイッチ１２ａ又は火力調整用スイッチ１２ｂの左側の火力を弱めるスイッチを押下することにより、調理状況に合わせて加熱部３の火力が弱められる。
【００２５】
＜加熱調理器１００の制御＞
図５は、本発明の実施の形態１に係る操作タイミングに応じた制御を示すフローチャートである。図５に示す制御ルーチンは、２つの操作部６及び操作部７の一方が操作されたときに実行される。
【００２６】
図５に示すように、制御部８は、ステップＳ１にて、２つの操作部６又は操作部７のうち１つの操作部６の操作と他の操作部７の操作との操作タイミングとが一致したか否かを判別する。制御部８がそれらの操作タイミングに応じて、異なる制御を実施するためである。より詳しくは、１つの操作部６の操作と他の操作部７の操作との操作タイミングが一致する場合と、操作タイミングが異なる場合と、によって、異なる制御を実施するためである。操作タイミングが一致した場合には、ステップＳ２に移行する。操作タイミングが一致せず異なる場合には、ステップＳ３に移行する。
【００２７】
制御部８は、ステップＳ２にて、１つの操作部６の操作の操作タイミングと他の操作部７の操作の操作タイミングとが同時である場合に、操作タイミングが同時であった全ての操作を無効とする。すなわち、主電源スイッチ９ａ、主電源スイッチ９ｂ、火力調整用スイッチ１０ａ、火力調整用スイッチ１０ｂ、火力調整用スイッチ１１ａ、火力調整用スイッチ１１ｂ、火力調整用スイッチ１２ａ又は火力調整用スイッチ１２ｂのうちいずれか２つ以上の操作が同時に実施された場合には、いずれの操作も無効とする。本ステップの処理の後、本制御ルーチンを一旦終了する。
【００２８】
制御部８は、ステップＳ３にて、操作タイミングの遅い操作部７の操作を受け付けない指令を発令する。操作タイミングの遅い操作は、操作部６又は操作部７のいずれでも良いが、ここでは操作部７の操作タイミングが遅いとして説明する。この指令が発令されている期間（時間）は、操作タイミングの遅い操作部７の操作を受け付けない。すなわち、制御部８は、１つの操作部６の操作の操作タイミングが他の操作部７の操作の操作タイミングよりも早い場合に、１つの操作部６の操作の後に他の操作部７の操作を受け付けない時間を有する。これにより、主電源スイッチ９ａ、主電源スイッチ９ｂ、火力調整用スイッチ１０ａ、火力調整用スイッチ１０ｂ、火力調整用スイッチ１１ａ、火力調整用スイッチ１１ｂ、火力調整用スイッチ１２ａ又は火力調整用スイッチ１２ｂのいずれか１か所を操作した後は、所定時間反対側の操作部６又は操作部７の操作を受け付けない。所定時間は、たとえば３秒などである。本ステップの処理の後、ステップＳ４に移行する。
【００２９】
制御部８は、ステップＳ４にて、所定時間が経過したか否かを判別する。他の操作部７の操作を受け付けない時間を設けるためである。所定時間が経過した場合には、ステップＳ５に移行する。所定時間が経過していない場合には、ステップＳ６に移行する。
【００３０】
制御部８は、ステップＳ５にて、操作タイミングの遅い操作部７の操作を受け付けない指令を解除する。所定時間経過後は、他の操作部７からの操作も受け付けるようにする。本ステップの処理の後、本制御ルーチンを一旦終了する。
【００３１】
制御部８は、ステップＳ６にて、他の操作部７から解除操作が実施されるか否かを判別する。すなわち、加熱調理器１００は、制御部８が操作を受け付けない時間が経過していない場合に、操作を受け付けない指令を解除する解除手段を備える。つまり、通常操作とは異なる特定の操作を行うことにより、操作を受け付けない指令が解除できる。たとえば、使用者が後述する火力ダウンキー２５ｂと火力アップキー２５ｃとを同時に操作することにより、操作を受け付けない指令が解除できる。なお、解除の方法は、特定操作以外に物理的な解除ボタンなどの解除部を設けて操作しても良い。解除操作が実施された場合には、ステップＳ５に移行し、所定時間経過後と同様に操作タイミングの遅い操作部７の操作を受け付けない指令を解除する。解除操作が実施されない場合には、ステップＳ４に戻る。
【００３２】
＜実施の形態１の効果＞
実施の形態１によれば、加熱調理器１００は、被加熱物を加熱する１つ以上の加熱部１、加熱部２及び加熱部３を備える。加熱調理器１００は、１つ以上の加熱部１、加熱部２及び加熱部３を操作する２つ以上の操作部６及び操作部７を備える。加熱調理器１００は、２つ以上の操作部６及び操作部７のうち１つの操作部６の操作と他の操作部７の操作との操作タイミングに応じて、異なる制御を実施する制御部８を備える。
【００３３】
この構成によれば、操作タイミングに応じて異なる制御が実施され、使用者が加熱部１、加熱部２又は加熱部３のうちのいずれか１つに対して複数の操作部６及び操作部７から操作できるとともに、操作タイミングが一致した場合の使用者の混乱が防止され、使用者の利便性が確保できる。したがって、２つ以上の操作部６及び操作部７のうち１つの操作部６の操作と他の操作部７の操作とを実施した場合に、使用者の安全性及び利便性が確保できる。
【００３４】
実施の形態１によれば、制御部８は、１つの操作部６の操作と他の操作部７の操作との操作タイミングが一致する場合と、操作タイミングが異なる場合と、によって、異なる制御を実施する。
【００３５】
この構成によれば、操作タイミングが一致する場合と操作タイミングが異なる場合とによって異なる制御が実施される。これにより、使用者が加熱部１、加熱部２又は加熱部３のうちのいずれか１つに対して複数の操作部６及び操作部７から操作できるとともに、操作タイミングが一致した場合の使用者の混乱が防止され、使用者の利便性が確保できる。
【００３６】
実施の形態１によれば、制御部８は、１つの操作部６の操作の操作タイミングが他の操作部７の操作の操作タイミングよりも早い場合に、１つの操作部６の操作の後に他の操作部７の操作を受け付けない時間を有する。
【００３７】
この構成によれば、１つの操作部６の操作の後に他の操作部７の操作を受け付けない時間を有するので、加熱調理器１００が操作タイミングの遅れた他の操作部７の操作を受け付けない。それによって、他の操作部７の操作が１つの操作部６の操作に割り込めない。これにより、使用者が１つの操作部６の操作によって安全に加熱調理器１００を使用できる。また、この構成によれば、加熱調理器１００では、制御部８が操作を受け付けない時間が経過した場合に操作を受け付けない指令を解除するので、使用者の加熱調理器１００に対する利便性が向上できる。
【００３８】
実施の形態１によれば、加熱調理器１００は、制御部８が操作を受け付けない時間が経過していない場合に、操作を受け付けない指令を解除する解除手段を備える。
【００３９】
この構成によれば、使用者が解除操作によって操作を受け付けない指令を解除できるので、緊急時などの場合に操作を受け付けない時間でも使用者が操作の受け付けられていない操作部７から加熱調理器１００を操作できる。これにより、使用者の加熱調理器１００に対する利便性が向上できる。
【００４０】
実施の形態１によれば、制御部８は、１つの操作部６の操作の操作タイミングと他の操作部７の操作の操作タイミングとが同時である場合に、操作タイミングが同時であった全ての操作を無効とする。
【００４１】
この構成によれば、操作タイミングが同時で一致した場合には、このときの全ての操作が無効となり、加熱調理器１００に対する操作が混乱せず、使用者の混乱が防止され、使用者の利便性が確保できる。
【００４２】
実施の形態２．
図６は、本発明の実施の形態２に係る加熱調理器１００を示す機能ブロック図である。実施の形態２では、上記実施の形態と同様の事項の説明を省略し、その特徴部分だけを説明する。
【００４３】
図６に示すように、加熱調理器１００は、２つの操作部６又は操作部７のそれぞれの操作可否状態を表示する表示部１３を備える。加熱調理器１００は、制御部８が操作を受け付けない時間内に、操作が拒否される操作部７の操作が実施されると、通常とは異なる通知を実施する通知部１４を備える。
【００４４】
＜操作部６及び操作部７の詳細＞
図７は、本発明の実施の形態２に係る加熱調理器１００の操作部６を示す拡大図である。ここでは、１つの操作部６の加熱部１に対する部位のみを例示するが、他の部位及び操作部７の部位も同様な構成である。
【００４５】
図７に示すように、表示部１３は、たとえばＬＥＤなどを用いたものであり、ＬＥＤの点灯又は点滅などで使用者が操作可否状態を視認できるように表示する。表示部１３は、２つの操作部６及び操作部７のそれぞれに、３つの加熱部１、加熱部２及び加熱部３のそれぞれについて設けられている。なお、表示部１３は、３つの加熱部１、加熱部２及び加熱部３をまとめて１つの操作部６又は操作部７に１つだけ設けても良い。
【００４６】
詳しくは、操作部６は、加熱部１への給電の切入をする切入キー２５ａを備える。操作部６は、加熱部１の火力を下げる火力ダウンキー２５ｂを備える。操作部６は、加熱部１の火力を上げる火力アップキー２５ｃを備える。操作部６は、加熱部１に対する予め設定されたメニューを実施するメニューキー２５ｄを備える。操作部６は、加熱部１の火力を表示する火力１表示部２６ａを備える。操作部６は、加熱部１の火力を表示する火力２表示部２６ｂを備える。操作部６は、加熱部１の火力を表示する火力３表示部２６ｃを備える。操作部６は、加熱部１の火力を表示する火力４表示部２６ｄを備える。操作部６は、加熱部１の火力を表示する火力５表示部２６ｅを備える。操作部６は、加熱部１の火力を表示する火力６表示部２６ｆを備える。操作部６は、加熱部１の火力を表示する火力７表示部２６ｇを備える。操作部６は、加熱部１の火力を表示する火力８表示部２６ｈを備える。操作部６は、加熱部１の火力を表示する火力９表示部２６ｉを備える。火力１表示部２６ａから火力９表示部２６ｉは、火力の大きさを表している。操作部６は、操作部６の操作の有効無効状態を表示する表示部１３を備える。
【００４７】
＜加熱調理器１００の制御＞
図８は、本発明の実施の形態２に係る操作タイミングに応じた制御を示すフローチャートである。図８に示す制御ルーチンは、２つの操作部６又は操作部７の一方が操作されたときに実行される。
【００４８】
図８に示すように、制御部８は、ステップＳ１１にて、２つの操作部６又は操作部７のうち１つの操作部６の１つの加熱部１に対する操作と他の操作部７の当該同一の加熱部１に対する操作との操作タイミングとが一致したか否かを判別する。ここでは、加熱部１を例に挙げて説明する。制御部８が操作タイミングに応じて、異なる制御を実施するためである。操作タイミングが一致した場合には、ステップＳ１２に移行する。操作タイミングが一致せず異なる場合には、ステップＳ１３に移行する。
【００４９】
制御部８は、ステップＳ１２にて、１つの操作部６の当該同一の加熱部１に対する操作の操作タイミングと他の操作部７の当該同一の加熱部１に対する操作の操作タイミングとが同時である場合に、操作タイミングが同時であった当該同一の加熱部１に対する全ての操作を無効とする。本ステップの処理の後、本制御ルーチンを一旦終了する。
【００５０】
制御部８は、ステップＳ１３にて、操作タイミングの遅い操作部７の当該同一の加熱部１に対する操作を受け付けない指令を発令する。この指令が発令されている期間は、操作タイミングの遅い操作部７の当該同一の加熱部１に対する操作を受け付けない。しかし、操作タイミングの遅い操作部７の他の加熱部２又は加熱部３に対する操作は、受け付けられる。すなわち、１つの操作部６が１つの加熱部１に対しての操作の操作タイミングが他の操作部７の当該同一の１つの加熱部１に対しての操作の操作タイミングよりも早い場合に、１つの操作部６の１つの加熱部１に対する操作の後に他の操作部７の当該同一の１つの加熱部１に対する操作を受け付けない時間を有する。これにより、火力調整用スイッチ１０ａ、火力調整用スイッチ１０ｂ、火力調整用スイッチ１１ａ、火力調整用スイッチ１１ｂ、火力調整用スイッチ１２ａ又は火力調整用スイッチ１２ｂのいずれか１か所を操作した後は、所定時間経過するまで当該同一の加熱部１などに対する操作ができない。所定時間は、たとえば３秒などである。本ステップの処理の後、ステップＳ１４に移行する。
【００５１】
制御部８は、ステップＳ１４にて、操作を受け付けない時間である場合に、表示部１３に各操作部６又は操作部７の操作可否状態を表示する。たとえば、操作部６を操作すると、所定時間経過するまでは操作部７から当該同一の加熱部１に対する操作ができない。操作できないことは、操作部７に対する図７に示す表示部１３に当該同一の加熱部１が操作できない、操作不可状態であることが表示される。たとえば、表示部１３のＬＥＤが消灯又は点滅などで表示する。一方、操作部６に対する図７に示す表示部１３に当該同一の加熱部１が操作できる、操作可能状態であることが表示される。たとえば、表示部１３のＬＥＤが点灯で表示する。本ステップの処理の後、ステップＳ１５に移行する。
【００５２】
制御部８は、ステップＳ１５にて、操作を受け付けない時間である場合に、通知部１４から他の操作部７の当該同一の加熱部１に対して操作が実施されると、通常とは異なる通知を実施する指令を発令する。たとえば、操作が拒絶される操作部７から操作を実施した場合には、この操作を無効とし、ブザー音など通常の有効操作とは異なる通知を使用者に行う。本ステップの処理の後、ステップＳ４に移行する。ステップＳ４にて所定時間が経過した場合には、ステップＳ１６に移行する。
【００５３】
制御部８は、ステップＳ１６にて、操作タイミングの遅い操作部７の当該同一の加熱部１に対する操作を受け付けない指令を解除する。所定時間経過後は、操作部７からの当該同一の加熱部１に対する操作も受け付けるようにする。このとき、通知部１４への指令も解除される。本ステップの処理の後、ステップＳ１７に移行する。
【００５４】
制御部８は、ステップＳ１７にて、操作を受け付けない指令を解除した場合に、表示部１３に各操作部６又は操作部７の操作可否状態を変更して表示する。たとえば、表示部１３のＬＥＤが点灯するなどで表示する。本ステップの処理の後、本制御ルーチンを一旦終了する。
【００５５】
＜実施の形態２の効果＞
実施の形態２によれば、制御部８は、１つの操作部６が１つ以上の加熱部１、加熱部２又は加熱部３のうちの１つの加熱部１に対しての操作の操作タイミングが他の操作部７の当該同一の１つの加熱部１に対しての操作の操作タイミングよりも早い場合に、１つの操作部６の１つの加熱部１に対する操作の後に他の操作部７の当該同一の１つの加熱部１に対する操作を受け付けない時間を有する。
【００５６】
この構成によれば、１つの操作部６の１つの加熱部１に対する操作の後に他の操作部７の当該同一の１つの加熱部１に対する操作を受け付けない時間を有するので、加熱調理器１００が操作タイミングの遅れた他の操作部７の操作を受け付けない。それによって、他の操作部７の当該同一の１つの加熱部１に対する操作が１つの操作部６の当該同一の１つの加熱部１に対する操作に割り込めない。一方で、他の操作部７では、加熱部１とは別の他の加熱部に対する操作ができる。これにより、使用者が１つの操作部６の当該同一の１つの加熱部１に対する操作によって安全に加熱調理器１００を使用できるとともに、利便性が向上できる。
【００５７】
実施の形態２によれば、加熱調理器１００は、２つ以上の操作部６又は操作部７のうちの各操作部６又は操作部７の操作可否状態を表示する表示部１３を備える。制御部８は、操作を受け付けない時間である場合に、表示部１３に各操作部６又は操作部７の操作可否状態を表示する。
【００５８】
この構成によれば、使用者が表示部１３に表示された各操作部６又は操作部７の操作可否状態を視認できる。これにより、使用者の加熱調理器１００に対する利便性が向上できる。
【００５９】
実施の形態２によれば、加熱調理器１００は、制御部８が操作を受け付けない時間を実施する際に、通常とは異なる通知を実施する通知部１４を備える。
【００６０】
この構成によれば、使用者が通知部１４の通常とは異なる通知を認識し、操作を受け付けない時間での操作の無効状態が確認できる。これにより、使用者の加熱調理器１００に対する利便性が向上できる。
【００６１】
実施の形態３．
＜加熱調理器１００の制御＞
図９は、本発明の実施の形態３に係る操作タイミングに応じた制御を示すフローチャートである。図９に示す制御ルーチンは、２つの操作部６又は操作部７の一方が操作されたときに実行される。実施の形態３では、上記実施の形態と同様な事項の説明を省略し、その特徴部分だけを説明する。
【００６２】
図９に示すように、制御部８は、ステップＳ４にて所定時間が経過していないときに移行するステップＳ２１にて、他の操作部７の当該同一の１つの加熱部１に対する火力を停止する操作が実施されたか否かを判別する。そして、制御部８は、火力を停止する操作が実施された場合に移行するステップＳ２２にて、当該同一の１つの加熱部１に対する火力を停止する。すなわち、１つの操作部６が当該同一の加熱部１に対しての操作の操作タイミングが他の操作部７の当該同一の１つの加熱部１に対しての操作の操作タイミングよりも早い場合に、１つの操作部６の当該同一の加熱部１に対する操作の後に他の操作部７の当該同一の加熱部１に対する火力を停止する操作だけを受け付けるとともにその他の操作を受け付けない時間を有する。これにより、火力調整用スイッチ１０ａ、火力調整用スイッチ１０ｂ、火力調整用スイッチ１１ａ、火力調整用スイッチ１１ｂ、火力調整用スイッチ１２ａ又は火力調整用スイッチ１２ｂのいずれか１か所を操作した後は、所定時間経過するまで当該同一の加熱部１に対して他の操作部７などからは火力を停止する操作以外の全ての操作ができない。所定時間は、たとえば３秒などである。
【００６３】
＜実施の形態３の効果＞
実施の形態３によれば、制御部８は、１つの操作部６が１つ以上の加熱部１、加熱部２又は加熱部３のうちの１つの加熱部１に対しての操作の操作タイミングが他の操作部７の当該同一の１つの加熱部１に対しての操作の操作タイミングよりも早い場合に、１つの操作部６の１つの加熱部１に対する操作の後に他の操作部７の当該同一の１つの加熱部１に対する火力を停止する操作だけを受け付けるとともにその他の操作を受け付けない時間を有する。
【００６４】
この構成によれば、１つの操作部６の１つの加熱部１に対する操作の後に他の操作部７の当該同一の１つの加熱部１に対する火力を停止する操作だけが受け付けられるとともにその他の操作が受け付けられない。これにより、使用者が他の操作部７の当該同一の１つの加熱部１に対して火力を停止でき、緊急時など場合の加熱調理器１００の安全が確保できる。
【００６５】
実施の形態４．
＜加熱調理器１００の制御＞
図１０は、本発明の実施の形態４に係る操作タイミングに応じた制御を示すフローチャートである。図１０に示す制御ルーチンは、２つの操作部６又は操作部７の一方が操作されたときに実行される。実施の形態４では、上記実施の形態と同様な事項の説明を省略し、その特徴部分だけを説明する。
【００６６】
制御部８は、ステップＳ１にて操作タイミングが一致した場合に移行するステップＳ３１にて、操作タイミングが一致した操作が同一の加熱部１に対する操作か否かを判別する。同一の加熱部１に対する操作でない場合には、ステップＳ３２に移行する。同一の加熱部１に対する操作である場合には、ステップＳ３３に移行する。
【００６７】
制御部８は、ステップＳ３２にて、加熱部１以外の異なる加熱部２又は加熱部３に対する操作を全て有効とする。本ステップの処理の後、本制御ルーチンを一旦終了する。
【００６８】
制御部８は、ステップＳ３３にて、同一の加熱部１に対する操作を全て無効とする。本ステップの処理の後、本制御ルーチンを一旦終了する。
【００６９】
すなわち、実施の形態４では、１つの操作部６の操作の操作タイミングと他の操作部７の操作の操作タイミングとが同時である場合に、操作タイミングが同時であった複数の操作のうち、同一の加熱部１に対する操作を無効とするとともに、異なる加熱部２又は加熱部３に対する操作を有効とする。これにより、火力調整用スイッチ１０ａ、火力調整用スイッチ１０ｂ、火力調整用スイッチ１１ａ、火力調整用スイッチ１１ｂ、火力調整用スイッチ１２ａ又は火力調整用スイッチ１２ｂのいずれか２か所以上の操作を実施したときに、同一の加熱部１などに対して同時に操作した場合には、いずれの操作も無効とし、異なる加熱部２又は加熱部３などに対して同時に操作した場合には、いずれも有効とする。
【００７０】
＜実施の形態４の効果＞
実施の形態４によれば、制御部８は、１つの操作部６の操作の操作タイミングと他の操作部７の操作の操作タイミングとが同時である場合に、操作タイミングが同時であった複数の操作のうち、１つ以上の加熱部１、加熱部２又は加熱部３のうち同一の加熱部１に対する操作を無効とするとともに、１つ以上の加熱部１、加熱部２又は加熱部３のうち異なる加熱部２又は加熱部３に対する操作を有効とする。
【００７１】
この構成によれば、操作タイミングが同時で一致した複数の操作のうち、同一の加熱部１に対する操作が無効となり、使用者の混乱が防止され、使用者の利便性が確保できる。また、操作タイミングが同時で一致した複数の操作のうち、異なる加熱部２又は加熱部３に対する操作が有効となり、使用者が異なる加熱部２又は加熱部３を同時に別々に使用でき、使用者の利便性が確保できる。
【００７２】
実施の形態５．
＜加熱調理器１００の構成＞
図１１は、本発明の実施の形態５に係る加熱調理器１００を示す外観斜視図である。ここで説明する加熱調理器１００は、加熱部が２つ（２口ともいう）の加熱調理器を一例として挙げている。実施の形態５では、上記実施の形態と同様な事項の説明を省略し、その特徴部分だけを説明する。
【００７３】
図１１に示すように、加熱調理器１００は、加熱部１及び加熱部２を備える。加熱部１及び加熱部２は、誘導式加熱部である。図１１に示す加熱調理器１００は、図１に示す加熱調理器１００の加熱部３が存在しない構成である。
【００７４】
図１２は、本発明の実施の形態５に係る加熱調理器１００を示す機能ブロック図である。図１２に示すように、制御部８には、２つの操作部６又は操作部７に予め特定の条件による優先度が記憶された優先度記憶部８ａが形成されている。制御部８には、優先度を切り替える優先度切替部８ｂが形成されている。優先度切替部８ｂが優先度を切り替えた場合には、優先度記憶部８ａに記憶された優先度が変更される。優先度切替部８ｂでの優先度の切替えは、たとえば使用者が加熱調理器１００のメニューキー２５ｄなどから選択して自由に行う。
【００７５】
加熱調理器１００は、２つの操作部６又は操作部７のうち優先度が最も高い操作部６が分かる最高優先度表示部１５を備える。最高優先度表示部１５は、優先度記憶部８ａに記憶された優先度に従って表示される。
【００７６】
＜操作部６及び操作部７の詳細＞
図１３は、本発明の実施の形態５に係る加熱調理器１００を示す上面図である。図１３に示す加熱調理器１００は、図４に示す加熱調理器１００においてラジエントヒータ式の加熱部３及びその加熱部３に対するスイッチが存在しない構成である。
【００７７】
図１４は、本発明の実施の形態５に係る加熱調理器１００の操作部６を示す拡大図である。図１４の操作部６は、図７の操作部６において操作可否状態の表示部１３を最高優先度表示部１５に置き換えたものである。最高優先度表示部１５は、２つの操作部６又は操作部７のうち優先度が最も高い操作部６が分かる表示を行う表示部である。たとえば、最高優先度表示部１５は、ＬＥＤの点灯と消灯とによって優先度が高いか否かが視認できるようにする。優先される操作部６の最高優先度表示部１５は、点灯する。なお、操作可否状態の表示部１３は、最高優先度表示部１５とは別に設けても良い。最高優先度表示部１５は、２つの操作部６又は操作部７のそれぞれに、２つの加熱部１又は加熱部２にそれぞれ設け、２つの加熱部１又は加熱部２のそれぞれで優先度を分けても良い。
【００７８】
＜加熱調理器１００の制御＞
図１５は、本発明の実施の形態５に係る操作タイミングに応じた制御を示すフローチャートである。図１５に示す制御ルーチンは、２つの操作部６又は操作部７の一方が操作されたときに実行される。
【００７９】
制御部８は、ステップＳ１にて操作タイミングが一致した場合に移行するステップＳ４１にて、優先度記憶部８ａに記憶された優先度の高い操作部６の操作を有効とする。また、制御部８は、ステップＳ４１から移行するステップＳ４２にて、優先度記憶部８ａに記憶された優先度の低い操作部の操作を無効とする。すなわち、１つの操作部６の操作の操作タイミングと他の操作部７の操作の操作タイミングとが同時である場合に、優先度に従って優先度の高い操作部６の操作を有効とするとともに、それ以外の操作部７の操作を無効とする。これにより、操作部６及び操作部７に対して、予め優先度を決めて制御部８に記憶させておく。そして、２つの操作部６及び操作部７から操作タイミングが一致した場合には、優先度の高い操作部６の操作を有効とし、他方の操作部７の操作を無効とする。
【００８０】
＜実施の形態５の効果＞
実施の形態５によれば、制御部８には、２つ以上の操作部６及び操作部７に予め特定の条件による優先度が記憶されている。制御部８は、１つの操作部６の操作の操作タイミングと他の操作部７の操作の操作タイミングとが同時である場合に、優先度に従って優先度の高い操作部６の操作を有効とするとともに、それ以外の操作部７の操作を無効とする。
【００８１】
この構成によれば、操作タイミングが同時で一致した場合に、優先度の高い操作部６の操作が有効となり、それ以外の操作部７の操作が無効となり、使用者の利便性が確保できる。
【００８２】
実施の形態５によれば、加熱調理器１００は、優先度を切り替える優先度切替部８ｂを備える。
【００８３】
この構成によれば、使用者が優先度切替部８ｂによって複数の操作部６及び操作部７の優先度を切り替えられ、使用者の加熱調理器１００に対する利便性が向上できる。
【００８４】
実施の形態５によれば、加熱調理器１００は、２つ以上の操作部６及び操作部７のうち優先度が最も高い操作部６が分かる最高優先度表示部１５を備える。
【００８５】
この構成によれば、使用者が最高優先度表示部１５の表示によって優先度の最も高い操作部６を視認できる。これにより、使用者の加熱調理器１００に対する利便性が向上できる。
【符号の説明】
【００８６】
１  加熱部、２  加熱部、３  加熱部、４  天板、５  本体ケース、６  操作部、７  操作部、８  制御部、８ａ  優先度記憶部、８ｂ  優先度切替部、９ａ  主電源スイッチ、９ｂ  主電源スイッチ、１０ａ  火力調整用スイッチ、１０ｂ  火力調整用スイッチ、１１ａ  火力調整用スイッチ、１１ｂ  火力調整用スイッチ、１２ａ  火力調整用スイッチ、１２ｂ  火力調整用スイッチ、１３  表示部、１４  通知部、１５  最高優先度表示部、２５ａ  切入キー、２５ｂ  火力ダウンキー、２５ｃ  火力アップキー、２５ｄ  メニューキー、２６ａ  火力１表示部、２６ｂ  火力２表示部、２６ｃ  火力３表示部、２６ｄ  火力４表示部、２６ｅ  火力５表示部、２６ｆ  火力６表示部、２６ｇ  火力７表示部、２６ｈ  火力８表示部、２６ｉ  火力９表示部、１００  加熱調理器。
【図１】
2020060334.tif 000003
【図２】
2020060334.tif 000004
【図３】
2020060334.tif 000005
【図４】
2020060334.tif 000006
【図５】
2020060334.tif 000007
【図６】
2020060334.tif 000008
【図７】
2020060334.tif 000009
【図８】
2020060334.tif 000010
【図９】
2020060334.tif 000011
【図１０】
2020060334.tif 000012
【図１１】
2020060334.tif 000013
【図１２】
2020060334.tif 000014
【図１３】
2020060334.tif 000015
【図１４】
2020060334.tif 000016
【図１５】
2020060334.tif 000017